(57)【特許請求の範囲】
【請求項１】
少なくとも１つの基準電極、およびスピネル、擬板チタン石、エスキナイト、フェルグソナイトからなる群から選択された導電性の混合金属酸化物からなり、ＮＯ、ＣＯ、ＳＯ2、ＣxＨyおよびＮＨ3からなる群から選択された被酸化性成分に対して感受性に作用する少なくとも１つの作用電極を有する固体電解質セルを用いて混合気中の被酸化性成分を測定する方法において、測定するべき気体成分の電気化学的酸化により、基準電極と作用電極との間で惹起される短絡電流を測定することを特徴とする、混合気中の被酸化性成分を測定する方法。
【請求項２】
固体電解質セルの温度制御のために、固体電解質成形体の温度に依存した導電性を使用する、請求項１記載の方法。
【請求項３】
基準電極、および前記基準電極とは異なる付加的な基準電極が、固体電解質成形体を介して、交流電圧を印加される、請求項２記載の方法。
【請求項４】
交流電圧が、０．１〜１０6Ｈｚの範囲である、請求項３記載の方法。
【請求項５】
交流電圧が、１ｋＨｚ〜２００ｋＨｚの範囲である、請求項４記載の方法。
【請求項６】
交流電圧の振幅が５ｍＶ〜５０ｍＶである、請求項５記載の方法。
【請求項７】
測定抵抗で固体電解質セルの電圧低下を測定する、請求項２から６までのいずれか１項記載の方法。
【請求項８】
電圧低下から固体電解質成形体の温度に依存した抵抗を測定する、請求項７記載の方法。
【発明の詳細な説明】
従来の技術
本発明は、独立請求項１の種類による、混合気中の被酸化性成分の測定方法を出発点とする。
混合気中の被酸化性成分の測定方法は公知である。この場合一般に、作用電極と基準電極との間の電圧を測定し、この大きさにより測定するべき気体成分の濃度を逆推論することができる。さらに例えば、いわゆる限界電流を測定するために、ラムダセンサとも呼ばれる酸素センサが公知であり、該限界電流は、酸素陰イオンが基準電極と作用電極との間の固体電解質成形体を通過することにより発生し、かつ該電流でネルンストの式により酸素の平衡分圧濃度を測定することができる。その際に測定するべき気体（Ｏ2、ＮＯ）は、拡散障壁を通過し、かつ作用電極で電気化学的ポンプ作用により汲み出される。しかしいまだ、混合気中のそれぞれの燃焼性の気体成分を、十分正確に測定するための満足のいく方法は存在しない。特にアンモニアの場合、現時点で認容できるシステムは存在しない。種々の気体成分に対する横感度もまた満足のいくように最小化させることができなかった。もう１つの問題は、従来、この種のセンサの温度制御であり、これは従来、種々の測定配置によりコストをかけて行わなければならなかった。
発明の利点
公知の従来技術に対して、混合気中の被酸化性成分を、少なくとも１つの基準電極および被酸化性成分に対して敏感に作用する少なくとも１つの作用電極を有する固体電解質セルを用いて測定するための本発明による方法は、測定するべき気体成分の電気化学的酸化により惹起される電流を直接測定するという利点を有する。それぞれの気体成分は異なった電気化学ポテンシャルを有しているので、異なった電流が測定されるか、もしくは電流は濃度に依存しているので、その結果、それぞれの被酸化性気体成分を確実に同定し、かつその濃度を測定することができる。
従属請求項に記載された措置により、請求項１に記載した方法の有利な実施態様および改善が可能である。
有利な実施態様で、作用電極は導電性であり、かつスピネル、擬板チタン石、エスキナイト、フェルグソナイトから選択される、混合された金属酸化物からなる。前記の化合物クラスは、特殊な気体成分、例えばＮＯ、ＮＨ3、不飽和炭化水素または硫黄化合物に関しても、それぞれの化合物の感度に関して十分な変動が可能である。前記の数多くの化合物により、特殊な物質のための化合物の満足のいく変動および感度が保証される。
もう１つの有利な実施態様では、固体電解質セルの温度制御のために固体電解質成形体の温度に依存した導電性を使用する。イットリウムで安定化された二酸化ジルコニウムはその立方形の変性において導電性であり、その際導電性は温度に依存する。固体電解質成形体の簡単な導電性の測定により、すべての固体電解質セルを燃焼プロセスの温度制御のために使用することができ、複雑かつコストのかかる装置は不要である。
有利には、固体電解質成形体を介して、特に有利には０．１〜１０6Ｈｚの範囲、および殊には１ｋＨｚ〜２００ｋＨｚの範囲の交流電圧が基準電極に影響を与える。
有利な実施態様では、測定抵抗で固体電解質セルの電圧低下を測定し、かつ電圧低下から固体電解質成形体の抵抗を温度に依存して測定するので、その結果、いつでも電圧低下の測定により固体電解質セルの温度制御は極めて容易な方法で行われる。
図面
図面は本発明による方法を実現するための回路配置を示す。
実施例
センサは、例えばイットリウムで安定させた二酸化ジルコニウム（ＹＳＺ）またはその他の酸素イオン−および電気伝導性の物質からなる固体電解質２、例えば白金またはその他の触媒活性貴金属からなる基準電極３からなる。さらに第二の基準電極４を固体電解質形成体の下に配置することも可能である。基準電極３は、混合気、例えば内燃機関の排気ガスに直接さらすか、あるいは多孔質の固体電解質を介して、あるいは側方または固体電解質に堆積した拡散層を介して混合気にさらされる。２つの基準電極３、４が配置されている場合、両方の基準電極の一方を空気にさらしてもよい。固体電解質成形体２上に、金属酸化物センサ層１、例えば導電性スピネルまたはエスキナイトが配置されている。スピネルは例えば２，３−スピネル、４，２−スピネルまたは６，１−スピネルの群から選択されていてもよい。同様に、擬板チタン石を使用することも可能である。可能なスピネルの例は、例えばＮｉＦｅＭｎＯ4、ＣｏＣｒ2Ｏ4、ＣｏＣｒＭｎＯ4、ＴｉＣｒＯ5、ＴｉＣｏ2Ｏ4であるが、この選択は本発明を制限するものではない。それぞれのスピネルは別の被酸化性気体に対して特に敏感であり、従って最適な方法で従来検出が困難であると思われていた気体、例えばＮＨ3もまた測定することができる。金属酸化物層１と基準電極３との間で被酸化性成分の検出のために短絡電流を測定する。これは図面に記載されている回路で行う。
演算増幅器により、抵抗Ｒを介して点Ｓで電流が調整されるので、センサから発生する電流Ｉ1および抵抗Ｒを介して流れる電流ＩRは、対抗し、かつ同一である。点Ｓは前記の配置で見掛け質量（virtuelle Masse）とも称する。
センサの温度制御のために、付加的な第二の基準電極４を、固体電解質の導電性の温度依存性を利用するまで使用してもよい。固体電解質の導電性は、固体電解質２を介して、周波数が０．１〜１０6Ｈｚ、特に１ｋＨｚ〜２００ｋＨｚであり、振幅Ｎ＝５０ｍＶを有するわずかな交流電圧が基準電極３および４に影響を与えることにより測定される。交流電圧Ｉは、測定抵抗で電圧低下の測定により測定される。係数Ｕ／Ｉから、固体電解質の抵抗が測定される。固体電解質の抵抗はセンサ温度の関数である。
金属酸化物電極で、炭化水素は、燃料電池と同様に電気化学的に酸化される。電極反応を介した気体の検出のためのいくつかの例に基づいて、本発明をさらに詳細に説明するが、これは気体の選択を制限するものではない。
酸素：
Ｏ2＋４e-⇒２Ｏ2-
窒素酸化物（ＮＯx）：
１．ＮＯ2へのＮＯの酸化：ＮＯ＋Ｏ2-⇒ＮＯ2＋２e-
２．ＮＯへのＮＯ2の還元：ＮＯ2＋２e-⇒ＮＯ＋Ｏ2-
３．ＮＯの還元：ＮＯ＋２e-⇒１／２Ｎ2＋Ｏ2-
ＣＯx：
１．ＣＯ2へのＣＯの酸化：ＣＯ＋Ｏ2-⇒ＣＯ2＋２e-
２．ＣＯへのＣＯ2の還元：ＣＯ2＋２e-⇒ＣＯ＋Ｏ2-
ＳＯx：
１．ＳＯ2の酸化：ＳＯ2＋Ｏ2-⇒ＳＯ3＋２e-
２．ＳＯ3の還元：ＳＯ3＋２e-⇒ＳＯ2＋Ｏ2-
３．ＳＯ2の還元：ＳＯ2＋４e-⇒Ｓ＋２Ｏ2-
Ｃx  Ｈy：
Ｃx  Ｈy＋（２ｘ＋ｙ／２）Ｏ2-⇒ｘ  ＣＯ2＋ｙ／２Ｈ2Ｏ
ＮＨ3：
２ＮＨ3＋３Ｏ2-⇒Ｎ2＋３Ｈ2Ｏ
0004219414.tif 000002